(57)【要約】      （修正有）【課題】煩雑な手間を要することなく油受板の清掃を繰り返し行える乗客コンベアの清掃装置の提供。【解決手段】清掃本体ベース７の一端側に清掃体８、８Ａを設け、かつ、清掃本体ベース７の他端側に支持軸９、９Ａを介して固定ブラケット体１０を回動自在に設けると共に、踏み段の踏み面部材を取り外してその踏み面部材の取り外した部位に支持軸９、９Ａが配置されるように、固定ブラケット体１０を踏み段に固定すると共に、清掃本体ベース７が支持軸９、９Ａを軸として回動して、清掃体８、８Ａ側が踏み段の踏み面部材の取り付け面に当接した際、清掃本体ベース７、清掃体８、８Ａ、支持軸９、９Ａ及び第１ブラケット部１０Ａが、踏み段における踏み面部材が占有していた空間内Ｗに配設される構成。【選択図】図７
2007223698.tif 000002
【特許請求の範囲】
【請求項１】
無端状に連結した複数個の踏み段のうちの、１つの踏み段に取り付けられた清掃本体ベースと、この清掃本体ベースの一端側に設けた清掃体とを、少なくとも備え、この清掃体を、前記複数個の踏み段の下方に配設された油受板に接触させながら移動させることにより、油受板上の清掃を行う乗客コンベアの清掃装置において、
前記清掃本体ベースの一端側に前記清掃体を少なくとも一つ回動自在に設け、かつ、前記清掃本体ベースの他端側に支持軸を介して固定ブラケット体を回動自在に設けると共に、前記踏み段のうちの少なくとも１つの踏み段につき、踏み面部材を取り外してその踏み面部材の取り外した部位に前記支持軸が配置されるように、前記固定ブラケット体を、前記１つの踏み段に固定したことを特徴とする乗客コンベアの清掃装置。
【請求項２】
前記固定ブラケット体を、前記１つの踏み段の構造体に嵌合固定する第１ブラケット部と、この第１ブラケット部に連結されて踏み面部材を取り外した前記踏み段を取り付けるための前輪軸に係止される第２ブラケット部とから構成すると共に、前記第１ブラケット部に前記支持軸を介して前記清掃本体ベースの他端側を回動自在に設けたことを特徴とする請求項１記載の乗客コンベアの清掃装置。
【請求項３】
前記清掃本体ベースを、前記支持軸を軸として回動して前記清掃体側を前記踏み段の踏み面部材の取り付け面に当接させた場合、前記清掃本体ベース、前記清掃体、前記支持軸及び前記第１ブラケット部を、前記１つの踏み段における前記踏み面部材が占有していた空間内に配設するようにしたことを特徴とする請求項２記載の乗客コンベアの清掃装置。
【発明の詳細な説明】
【技術分野】
【０００１】
本発明は、無端状に連結した複数個の踏み段の下方に配設された油受板（オイルパン）上に堆積される塵埃を除去するのに好適な乗客コンベアの清掃装置に関するものである。
【背景技術】
【０００２】
従来の乗客コンベアの清掃装置は、無端状に連結した複数個の踏み段のうち、任意の踏み段を取り外した後、その任意の踏み段が取り付けられていた前輪軸に、長尺状の清掃本体ベースの一端側を直接取り付けると共に、その清掃本体ベースの他端側に熊手状の清掃体を設けて、この清掃体を油受板に接触させながら移動させることにより、油受板の塵埃を掻き集めるようにしたもの、あるいは、無端状に連結した複数個の踏み段のうち、任意の踏み段を、踏み板部材を取り外し可能にした点検用踏み段とし、この点検用踏み段が取り付けられていた前輪軸に、長尺状の清掃本体ベースの一端側を直接取り付けると共に、その清掃本体ベースの他端側に熊手状の清掃体を設けて、この清掃体を油受板に接触させながら移動させることにより、油受板の塵埃を掻き集めるようにしたもの開発されている（例えば、特許文献１参照）。
【特許文献１】特開２００２−２００７２号公報（段落番号００１４及び段落番号００２４並びに図２、図１３及び図１４）
【発明の開示】
【発明が解決しようとする課題】
【０００３】
しかしながら、上述した特開２００２−２００７２号公報に記載された乗客コンベアの清掃装置では、無端状に連結した複数個の踏み段のうち、任意の踏み段を取り外した後、その任意の踏み段が取り付けられていた前輪軸に、清掃本体ベースの一端側を直接固定ようにしているので、清掃本体ベースの他端側に設けた熊手状の清掃体を移動させた場合、その清掃体がどの位置にあっても油受板に接触させることにより、油受板の清掃を十分に行われるようにするには、清掃本体ベース及び清掃体の長手方向の長さを十分に長くしなければならないという問題があった。しかも、上述した特開２００２−２００７２号公報に記載された乗客コンベアの清掃装置では、油受板の上部から下部に向けて油受板を清掃した後、再度、油受板を清掃したい場合には、清掃装置を乗客コンベアの下部乗降口側で取り外した後、その清掃装置を、乗客コンベアの上部乗降口側に運搬して、再度、前輪軸に取り付ける必要があり、油受板の清掃作業が煩雑となるという問題があった。
【０００４】
本発明の目的は、上記問題点にかんがみなされたもので、清掃本体ベース及び清掃体の長手方向の長さを短縮しても、清掃本体ベースに設けた清掃体で、油受板上の清掃を良好に行い得る乗客コンベアの清掃装置を提供することにある。
【０００５】
さらに、本発明の目的は、上記目的に加えて、清掃装置を踏み段から取り外すことなく、繰り返して油受板の清掃を行い得る乗客コンベアの清掃装置を提供することにある。
【課題を解決するための手段】
【０００６】
上記目的を達成するために、本発明は、無端状に連結した複数個の踏み段のうちの、１つの踏み段に取り付けられた清掃本体ベースと、この清掃本体ベースの一端側に設けた清掃体とを、少なくとも備え、この清掃体を、前記複数個の踏み段の下方に配設された油受板に接触させながら移動させることにより、油受板上の清掃を行う乗客コンベアの清掃装置において、前記清掃本体ベースの一端側に前記清掃体を少なくとも一つ回動自在に設け、かつ、前記清掃本体ベースの他端側に支持軸を介して固定ブラケット体を回動自在に設けると共に、前記踏み段のうちの少なくとも１つの踏み段につき、踏み面部材を取り外してその踏み面部材の取り外した部位に前記支持軸が配置されるように、前記固定ブラケット体を、前記１つの踏み段に固定したことを特徴としている。
【０００７】
さらに、本発明は、前記固定ブラケット体を、前記１つの踏み段の構造体に嵌合固定する第１ブラケット部と、この第１ブラケット部に連結されて踏み面部材を取り外した前記踏み段を取り付けるための前輪軸に係止される第２ブラケット部とから構成すると共に、前記第１ブラケット部に前記支持軸を介して前記清掃本体ベースの他端側を回動自在に設けたことを特徴としている。
【０００８】
さらに、本発明は、前記清掃本体ベースを、前記支持軸を軸として回動して前記清掃体側を前記踏み段の踏み面部材の取り付け面に当接させた場合、前記清掃本体ベース、前記清掃体、前記支持軸及び前記第１ブラケット部が、前記１つの踏み段における前記踏み面部材が占有していた空間内に配設されるようにしたことを特徴としている。
【発明の効果】
【０００９】
本発明によれば、踏み面部材を取り外してその踏み面部材の取り外した部位に、清掃本体ベースの他端側が回動自在に設けられる支持軸が、配置されるので、その支持軸を油受板に近づけることが可能となるため、清掃本体ベース及び清掃体の長手方向の長さを、踏み段における踏み面部材が占有していた空間内に収まる長さとしても、油受板の清掃を十分に行うことができる。
【００１０】
さらに、本発明によれば、踏み段における踏み面部材が占有していた空間内に、清掃装置を構成する清掃本体ベース、清掃体、支持軸及び第１ブラケット部が配設されているので、その清掃装置が乗客コンベアの下部乗降口側に設けたくし板及び乗客コンベアの上部乗降口側に設けたくし板に、引っ掛かることないため、踏み段に清掃装置を取り付けた状態でその踏み段を循環走行させることができる。そのため、清掃装置を踏み段から取り外すことなく、繰り返して油受板の清掃を行うことが可能となり、清掃作業の省力化を図ることができる。
【発明を実施するための最良の形態】
【００１１】
以下、本発明に係る乗客コンベアの清掃装置の一実施形態例を、図１〜図９に、基づいて説明する。図１は、本発明の一実施形態に係り、乗客コンベアの清掃装置の要部側面図である。図２は、図１の矢印Ｐ視図である。図３は、図２の矢印Ｑ視図である。図４は、本発明の一実施形態に係る踏み段の踏み面部材側が下向き状態における踏み段の要部側面図である。図５は、本発明の一実施形態に係る踏み段の踏み面部材の取り付け面側が下向きであって踏み面部材を取り除いた状態おける踏み段の要部側面図である。図６は、本発明の一実施形態に係る乗客コンベアの清掃装置が踏み面部材の取り付け面側を下向きにした踏み段に装着されている状態を示す側面図である。図７は、本発明の一実施形態に係る乗客コンベアの清掃装置が踏み面部材の取り付け面側を上向きにした踏み段に装着されている状態を示す側面図である。図８は、本発明の一実施形態に係る乗客コンベアの清掃装置により油受板の斜面部分を清掃している状態を示す図である。図９は、本発明の一実施形態に係る乗客コンベアの踏み段の走行状態を説明するための概略説明図である。
【００１２】
本発明の一実施形態の乗客コンベア１は、エスカレーターであって、図９に示すように、無端状に連結した複数個の踏み段２と、これら複数個の踏み段２の下方に配設された油受板（オイルパン）３とを有し、乗客コンベア１の上部乗降口側１Ａと乗客コンベア１の下部乗降口側１Ｂとの間で、無端状に連結した複数個の踏み段２が循環走行するように構成されている。無端状に連結した複数個の踏み段２は、踏み段チェ−ン(図示せず)に固定された前輪軸４に、取り付けられている。踏み段チェ−ンは、上部機械室に設置したドライブマシン（図示せず）によって、駆動される。乗客コンベア１の上部乗降口側１Ａ及び下部乗降口側１Ｂには、それぞれ、くし板５が設けられている。油受板（オイルパン）３は、傾斜面部分３Ａと水平部分３Ｂとを有している（図９参照）。なお、図９において、矢印Ｒ１は、踏み段２の往路走行方向を、矢印Ｒ２は、踏み段２の復路走行方向を、それぞれ示している。
【００１３】
乗客コンベア１の油受板３に堆積した塵埃を除去する清掃装置６は、無端状に連結した複数個の踏み段のうちの、１つの踏み段２に取り付けられものであって、図１から図３に示すように、鋼材からなる平板状の清掃本体ベース７と、この清掃本体ベース７の一端側に設けた一対の清掃体８、８Ａと、清掃本体ベース７の他端側にヒンジなどからなる支持軸９、９Ａを介して回動自在に設け固定ブラケット体１０とを有し、清掃体８、８Ａを、複数個の踏み段２の下方に配設された油受板３に接触させながら移動させることにより、油受板３上に堆積した塵埃の掻き集めなどの清掃を行うようにしたものである。
【００１４】
踏み段２は、図４に示すように、枠体２Ａと、クリート面部材２Ｂと、踏み面部材２Ｃと、この踏み面部材２Ｃを枠体２Ａに対して取り外し可能に取り付けるための構造体２Ｄと、後輪２Ｅと、前輪軸４の取り付け部２Ｆと、この取り付け部２Ｆを前輪軸４の固定するための固定部材２Ｇを有している。図５は、枠体２Ａから踏み面部材２Ｃを取り除いた状態の踏み段２を示している。
【００１５】
一対の清掃体８、８Ａのうちの清掃体８は、図１及び図２に示すように、清掃本体ベース７の一端側の先端に、ヒンジなどからなる回動保持部材１１、１１Ａによって、回動可能に取り付けられている。一対の清掃体８、８Ａのうちの清掃体８Ａは、清掃本体ベース７の一端側に固定されている。一対の清掃体８、８Ａは、図２及び図３に示すように、油受板３に当接する面を略鋸刃状としてある。
【００１６】
固定ブラケット体１０は、踏み段２の構造体２Ｄに嵌合固定する断面コ字状の鋼材からなる第１ブラケット部１０Ａと、この第１ブラケット部１０Ａに連結されて踏み面部材２Ｃを取り外した踏み段２を取り付けるための前輪軸４に係止される鋼材からなる第２ブラケット部１０Ｂと、第２ブラケット部１０Ｂと第１ブラケット部１０Ａを連結する連結ボルト１０Ｃとから構成すると共に、第１ブラケット部１０Ａに支持軸９、９Ａを介して清掃本体ベース７の他端側が回動自在に設けられるようにしてある（図１及び図６を参照）。
【００１７】
清掃装置６は、図７に示すように、踏み段２の踏み面部材２Ｃの取り付け面側が上向きになると、清掃本体ベース７が支持軸９、９Ａを軸として回動して清掃体８、８Ａ側が踏み段２に当接した状態となり、清掃本体ベース７、清掃体８、８Ａ、支持軸９、９Ａ及び第１ブラケット部１０Ａが、踏み段２における踏み面部材２Ｃが占有していた空間内Ｗ（図５の点線枠内）に配設されるようにしてある。すなわち、清掃装置６の、踏み段２における踏み面部材２Ｃの取り付け面からの飛び出し高さＨ及び清掃装置６の長さＬは、踏み段２における踏み面部材２Ｃが占有していた空間内Ｗ（図５の点線枠内）に収まる寸法に設定してある。
【００１８】
上記構成からなる清掃装置６によって、油受板３の清掃作業を行う場合には、図５に示すように、踏み段２から踏み面部材２Ｃを取り除き、その踏み面部材２Ｃの取り付け面側に清掃装置６を、図６に示すように、装着する。すなわち、前輪軸４に係止した固定ブラケット体１０の第２ブラケット部１０Ｂを、固定部材２Ｇで前輪軸４に固定すると共に、固定ブラケット体１０の第１ブラケット部１０Ａを踏み段２の構造体２Ｄに圧入固定することによって、支持軸９、９Ａが
構造体２Ｄに近接した状態で、清掃装置６を踏み段２に装着される。
【００１９】
清掃装置６を踏み段２に装着したならば、乗客コンベア１の上部機械室に設置したドライブマシンを駆動させて踏み段チェ−ンを移動させることにより、踏み段２及び清掃装置６を循環走行させる。清掃装置６を循環走行させると、一対の清掃体８、８Ａが、油受板３の上方から下方に向って、油受板３上を摺動しながら移動するために、油受板３上に堆積した塵埃等が一対の清掃体８、８Ａによって乗客コンベア１の下部機械室側に集められる。乗客コンベア１の下部機械室側に集められた塵埃等は、電気掃除機等の吸引手段により、取り除き、所定の場所に廃棄すればよい。
【００２０】
上記一実施形態の清掃装置６によれば、踏み段２及び清掃装置６が循環走行する場合、図６に示すように、踏み面部材２Ｃを取り外してその踏み面部材２Ｃの取り外した部位（踏み面部材２Ｃが占有していた空間内Ｗ）に支持軸９、９Ａが配置されるので、その支持軸９、９Ａが油受板３に近づけることができ、清掃本体ベース７及び清掃体８、８Ａの長手方向の長さＬを、踏み段２における踏み面部材２Ｃが占有していた空間内Ｗに収まる長さに短縮しても、清掃体８、８Ａによって油受板３上に堆積した塵埃を掻き集めることができるため、油受板３の清掃を十分に行うことができる。また、油受板３に傾斜面部分３Ａと水平部分３Ｂがあるために、その油受板３と前輪軸４との間の距離が異なっていても（変化しても）、支持軸９、９Ａを油受板３に近づけているので、清掃体８、８Ａを、適切な状態で油受板３上を摺動させることができ、良好な清掃性能を確保できる。
【００２１】
さらに、上記一実施形態の清掃装置６によれば、踏み段２及び清掃装置６が循環走行する場合、図７に示すように、清掃本体ベース７を、支持軸９、９Ａを軸として回動して清掃体８、８Ａ側を踏み段２の踏み面部材２Ｃの取り付け面に当接させた場合、清掃本体ベース７、清掃体８、８Ａ、支持軸９、９Ａ及び第１ブラケット部１０Ａが、踏み段２における踏み面部材２Ｃが占有していた空間内Ｗに配設されるので、踏み段２に清掃装置６を取り付けた状態のまま、踏み段２を循環走行させても、乗客コンベア１の下部乗降口側１Ｂ及び上部乗降口側１Ａに設けたくし板５に、清掃装置６が引っ掛かることないため、清掃装置６を踏み段２から取り外すことなく、繰り返して油受板６の清掃を行うことができる。
【００２２】
さらに、上記一実施形態の清掃装置６によれば、踏み段２及び清掃装置６を循環走行させても、第１ブラケット部１０Ａが踏み段２の構造体２Ｄに圧入固定され、かつ、第２ブラケット部１０Ｂが固定部材２Ｇで前輪軸４に固定されているので、踏み段２から清掃装置６が脱落することがなく、安全である。
【００２３】
なお、本発明は、上記清掃装置６は、上記一実施形態のエスカレーターからなる乗客コンベア１のみに限定されず、本発明の趣旨を包含する範囲で、応用変更が可能である。
【図面の簡単な説明】
【００２４】
【図１】本発明の一実施形態に係り、乗客コンベアの清掃装置の要部側面図である。
【図２】図１の矢印Ｐ視図である。
【図３】図２の矢印Ｑ視図である。
【図４】本発明の一実施形態に係る踏み段の踏み面部材側が下向き状態における踏み段の要部側面図である。
【図５】本発明の一実施形態に係る踏み段の踏み面部材の取り付け面側が下向きであって踏み面部材を取り除いた状態おける踏み段の要部側面図である。
【図６】本発明の一実施形態に係る乗客コンベアの清掃装置が踏み面部材の取り付け面側を下向きにした踏み段に装着されている状態を示す側面図である。
【図７】本発明の一実施形態に係る乗客コンベアの清掃装置が踏み面部材の取り付け面側を上向きにした踏み段に装着されている状態を示す側面図である。
【図８】本発明の一実施形態に係る乗客コンベアの清掃装置により油受板の斜面部分を清掃している状態を示す側面図である。
【図９】本発明の一実施形態に係る乗客コンベアの踏み段の走行状態を説明するための概略説明図である。
【符号の説明】
【００２５】
１    乗客コンベア
１Ａ  上部乗降口側
１Ｂ  下部乗降口側
２    踏み段
２Ａ  枠体
２Ｂ  クリート面部材
２Ｃ  踏み面部材
２Ｄ  構造体
２Ｅ  後輪
２Ｆ  取り付け部
２Ｇ  固定部材
３    油受板（オイルパン）
３Ａ  傾斜面部分
３Ｂ  水平部分
４    前輪軸
５    くし板
６    清掃装置
７    清掃本体ベース
８、８Ａ  一対の清掃体
９、９Ａ  支持軸
１０  固定ブラケット体
１０Ａ  第１ブラケット部
１０Ｂ  第２ブラケット部
１０Ｃ  連結ボルト
１１、１１Ａ  回動保持部材
Ｌ    清掃装置の長さ
Ｈ    飛び出し高さ
Ｗ    空間内
【図１】
2007223698.tif 000003
【図２】
2007223698.tif 000004
【図３】
2007223698.tif 000005
【図４】
2007223698.tif 000006
【図５】
2007223698.tif 000007
【図６】
2007223698.tif 000008
【図７】
2007223698.tif 000009
【図８】
2007223698.tif 000010
【図９】
2007223698.tif 000011